(57)【要約】      （修正有）【課題】人体の指の形状に合うことができ、指元が緊迫されすぎると感じなく、潤滑液の分布が均一となる指用コンドームを提供する。【解決手段】開口端１１と、円筒部１２と、封止端１３とを有し、封止端は、円弧状を呈し、円筒部と連接し、円筒部の下端には、指を挿入可能な開口端を設ける。円筒部は、その上端が最小直径を有し、その下端が最大直径を有し、少なくとも１つの指を挿入でき、円筒部により指が緊迫感を有する弾性付きスリーブと、弾性付きスリーブの開口端のエッジに設けられ、弾性付きスリーブと一体成形される弾性付きリング２０と、を含む。【選択図】図２
0003171657.tif 000002
【実用新案登録請求の範囲】
【請求項１】
開口端と、円筒部と、封止端とを有し、前記封止端は、円弧状を呈し、前記円筒部と連接し、前記円筒部の下端には、指を挿入可能な前記開口端が設けられ、前記円筒部は、その上端が最小直径を有し、その下端が最大直径を有し、少なくとも１つの指を挿入でき、前記円筒部により前記指が緊迫感を有する弾性付きスリーブと、
前記弾性付きスリーブの前記開口端のエッジに設けられ、前記弾性付きスリーブと一体成形される弾性付きリングと、
を含むことを特徴とする指用コンドーム。
【請求項２】
前記円筒部の上端にある最小直径は２０〜３２ｍｍ程度であり、前記円筒部の下端にある最大直径は２４〜３６ｍｍ程度であることを特徴とする、請求項１に記載の指用コンドーム。
【請求項３】
前記円筒部の直径は、上端から下端まで徐々に拡径することを特徴とする、請求項１に記載の指用コンドーム。
【請求項４】
前記円筒部の直径は、上端から前記円筒部の長さの１／３まで同じであり、前記円筒部の同じ直径の部分の下端から前記円筒部の下端まで徐々に拡径することを特徴とする、請求項１に記載の指用コンドーム。
【請求項５】
開口端と、円筒部と、封止端とを有し、前記封止端は、円弧状を呈し、前記円筒部と連接し、前記円筒部の下端には、指を挿入可能な前記開口端が設けられ、前記円筒部は、その上端が最小直径を有し、その下端が最大直径を有し、少なくとも１つの指を挿入でき、前記円筒部により前記指が緊迫感を有し、前記円筒部の直径は上端から下端まで徐々に拡径する弾性付きスリーブと、
前記弾性付きスリーブの前記開口端のエッジに設けられ、前記弾性付きスリーブと一体成形される弾性付きリングと、
を含むことを特徴とする指用コンドーム。
【請求項６】
前記円筒部の上端にある最小直径は２０〜３２ｍｍ程度であり、前記円筒部の下端にある最大直径は２４〜３６ｍｍ程度であることを特徴とする、請求項５に記載の指用コンドーム。
【請求項７】
開口端と、円筒部と、封止端とを有し、前記封止端は、円弧状を呈し、前記円筒部と連接し、前記円筒部の下端には、指を挿入可能な前記開口端が設けられ、前記円筒部は、その上端が最小直径を有し、その下端が最大直径を有し、少なくとも１つの指を挿入でき、前記円筒部により前記指が緊迫感を有し、前記円筒部の直径は、上端から前記円筒部の長さの１／３まで同じであり、前記円筒部の同じ直径の部分の下端から前記円筒部の下端まで徐々に拡径する弾性付きスリーブと、
前記弾性付きスリーブの前記開口端のエッジに設けられ、前記弾性付きスリーブと一体成形される弾性付きリングと、
を含むことを特徴とする指用コンドーム。
【請求項８】
前記円筒部の上端にある最小直径は２０〜３２ｍｍ程度であり、前記円筒部の下端にある最大直径は２４〜３６ｍｍ程度であることを特徴とする、請求項７に記載の指用コンドーム。
【考案の詳細な説明】
【技術分野】
【０００１】
本考案は、指用コンドームに関し、特に、円筒部の直径を変化する設計により、指を挿入して嵌合することができる指用コンドームに関するものである。
【背景技術】
【０００２】
性行為をするときにエイズや性病の伝染を防止するために、コンドームが開発された。従来のコンドームは、弾性付きスリーブであり、男性の性器に嵌合され可能である。従来のコンドームは、例えば特許文献１の米国特許２００５／００７６９１７号の「潤滑されたコンドーム（Ｌｕｂｒｉｃａｔｅｄ  Ｃｏｎｄｏｍ）」、特許文献２の米国特許５，１３７，０３２号の「自然感覚を有する弾性付き避妊具（Ｎａｔｕｒａｌ  Ｆｅｅｌｉｎｇ  Ｆｌｅｘｉｂｌｅ  Ｃｏｎｔｒａｃｅｐｔｉｖｅ  Ｄｅｖｉｃｅ）」、特許文献３の米国特許５，１６３，４６８号の「分配構成を含むコンドーム、その作製方法とその使用（Ｃｏｎｄｏｍ  Ｃｏｍｐｒｉｓｉｎｇ  Ｄｉｓｐｅｎｓｉｎｇ  Ｓｔｒｕｃｔｕｒｅ，ａｎｄ  Ｍｅｔｈｏｄ  ｏｆ  Ｍａｋｉｎｇ  ａｎｄ  Ｕｓｉｎｇ  ｔｈｅ  Ｓａｍｅ）」及び特許文献４の米国特許５，３５１，６９８号の「双方向カバー可能なスリーブ状物、その製造方法とそれを作製するための設備（Ｂｉｄｉｒｅｃｔｉｏｎａｌｌｙ  Ｄｏｎｎａｂｌｅ  Ｇｅｎｅｒａｌｌｙ  Ｔｕｂｕｌａｒ  Ｓｈｅａｔｈ  Ａｒｔｉｃａｌｓ，ａｎｄ  Ａｐｐａｒａｔｕｓ  ａｎｄ  Ｍｅｔｈｏｄ  ｆｏｒ  Ｍａｋｉｎｇ  ａｎｄ  Ｕｓｉｎｇ  Ｓａｍｅ）」などが提案され、女性用の避妊具は、例えば特許文献５の米国特許２００６／０２３１１０４号の「真空錨泊付き女性用避妊具（Ｆｅｍａｌｅ  Ｂａｒｒｉｅｒ  Ｃｏｎｔｒａｃｅｐｔｉｖｅ  ｗｉｔｈ  Ｖａｃｕｕｍ  Ａｎｃｈｏｒｉｎｇ）」などが提案された。これらの避妊具は、性器に嵌合され、直径が同じである円筒状を呈し、そのうちの多くは指に嵌合して利用することができない。
【０００３】
特許文献１の米国特許２００５／００７６９１７号と特許文献５の米国特許ＵＳ２００６／０２３１１０４号とは、指に嵌合して利用できることが記載したが、指を快適に緊迫することができない問題があった。
【０００４】
そして女性の性器及び肛門に指を挿入する性行為は、ますますユーザに受け入れられ、このような性行為により、女性はオーガズムを容易に感じることができるが、挿入される指に傷がある場合には、エイズや性病を伝染しやすいという問題があった。
【０００５】
上記の問題を解決するために、考案者は特許文献６の台湾実用新案Ｍ３４７１７９号の「指用コンドーム」を提案した。このような指用コンドームは、スリーブを有し、前記スリーブが開口端と封止端を有し、その内外面が潤滑効果を有する。前記指用コンドームは、延ばされる前の容積が指の体積よりも小さいため、指に嵌合して利用するときに、指は緊迫感を感じることができる。また、弾性付きリングは、前記スリーブの前記開口端のエッジに設けられ、指を締める効果を有する。
【先行技術文献】
【特許文献】
【０００６】
【特許文献１】米国特許２００５／００７６９１７号公報
【特許文献２】米国特許５，１３７，０３２号公報
【特許文献３】米国特許５，１６３，４６８号公報
【特許文献４】米国特許５，３５１，６９８号公報
【特許文献５】米国特許２００６／０２３１１０４号公報
【特許文献６】台湾実用新案Ｍ３４７１７９号公報
【考案の概要】
【考案が解決しようとする課題】
【０００７】
本考案の主な目的は、人体の指の形状に合うことができ、指元が緊迫されすぎると感じなく、潤滑液の分布が均一となる指用コンドームを提供することにある。
【課題を解決するための手段】
【０００８】
本考案の指用コンドームによると、開口端と、円筒部と、封止端とを有し、封止端は、円弧状を呈し、円筒部と連接し、円筒部の下端には、指を挿入可能な開口端が設けられ、円筒部は、その上端が最小直径を有し、その下端が最大直径を有し、少なくとも１つの指を挿入でき、円筒部により指が緊迫感を有する弾性付きスリーブと、
弾性付きスリーブの開口端のエッジに設けられ、弾性付きスリーブと一体成形される弾性付きリングと、
を含むことを特徴とする。
【０００９】
本考案の指用コンドームによると、円筒部の上端にある最小直径は２０〜３２ｍｍ程度であり、円筒部の下端にある最大直径は２４〜３６ｍｍ程度であることを特徴とする。
【００１０】
本考案の指用コンドームによると、円筒部の直径は、上端から下端まで徐々に拡径することを特徴とする。
【００１１】
本考案の指用コンドームによると、円筒部の直径は、上端から円筒部の長さの１／３まで同じであり、円筒部の同じ直径の部分の下端から円筒部の下端まで徐々に拡径することを特徴とする。
【００１２】
本考案の指用コンドームによると、開口端と、円筒部と、封止端とを有し、封止端は、円弧状を呈し、円筒部と連接し、円筒部の下端には、指を挿入可能な開口端が設けられ、円筒部は、その上端が最小直径を有し、その下端が最大直径を有し、少なくとも１つの指を挿入でき、円筒部により指が緊迫感を有し、円筒部の直径は上端から下端まで徐々に拡径する弾性付きスリーブと、
弾性付きスリーブの開口端のエッジに設けられ、弾性付きスリーブと一体成形される弾性付きリングと、
を含むことを特徴とする。
【００１３】
本考案の指用コンドームによると、円筒部の上端にある最小直径は２０〜３２ｍｍ程度であり、円筒部の下端にある最大直径は２４〜３６ｍｍ程度であることを特徴とする。
【００１４】
本考案の指用コンドームによると、開口端と、円筒部と、封止端とを有し、封止端は、円弧状を呈し、円筒部と連接し、円筒部の下端には、指を挿入可能な開口端が設けられ、円筒部は、その上端が最小直径を有し、その下端が最大直径を有し、少なくとも１つの指を挿入でき、円筒部により指が緊迫感を有し、円筒部の直径は、上端から円筒部の長さの１／３まで同じであり、円筒部の同じ直径の部分の下端から円筒部の下端まで徐々に拡径する弾性付きスリーブと、
弾性付きスリーブの開口端のエッジに設けられ、弾性付きスリーブと一体成形される弾性付きリングと、
を含むことを特徴とする。
【００１５】
本考案の指用コンドームによると、円筒部の上端にある最小直径は２０〜３２ｍｍ程度であり、円筒部の下端にある最大直径は２４〜３６ｍｍ程度であることを特徴とする。
【考案の効果】
【００１６】
本考案の指用コンドームによれば、人体の指の形状に合わせることができ、指元が緊迫されすぎると感じなく、潤滑液の分布が均一となるという効果を有する。
【図面の簡単な説明】
【００１７】
【図１】本考案の実施例１を示す斜視図である。
【図２】本考案の実施例１を示す断面図である。
【図３】本考案の実施例１の使用状態を示す模式図である。
【図４】本考案の実施例２を示す斜視図である。
【考案を実施するための形態】
【００１８】
以下、本考案の実施の形態を図面に基づいて説明する。
（実施例１）
まず、図１及び図２を参照する。本考案の指用コンドーム１００は、弾性付きスリーブ１０と、弾性付きリング２０と、から構成される。
【００１９】
本考案の弾性付きスリーブ１０は、開口端１１と、円筒部１２と、封止端１３と、を有する。封止端１３は、円弧状を呈し、円筒部１２と連接する。円筒部１２の下端には、指を挿入可能な開口端１１が設けられる。弾性付きリング２０は、弾性付きスリーブ１０の開口端１１のエッジに設けられ、弾性付きスリーブ１０と一体成形される。
【００２０】
本実施例では、円筒部１２の直径が変化する。円筒部１２は、図２に示すように、その上端が最小直径Ｄｓを有し、最小直径Ｄｓは、２０〜３２ｍｍ程度であり、例えば２４ｍｍであり、円筒部１２の下端が最大直径Ｄｌを有し、最大直径Ｄｌは、２４〜３６ｍｍ程度であり、例えば２８ｍｍである。このような設計により、図３に示すように、人体の指の形状に合うことができ、少なくとも一本の指３００に嵌合して利用する場合には、指３００が緊迫感を感じることができる。
【００２１】
本実施例では、円筒部１２の直径は、上端にある最小直径Ｄｓから下端にある最大直径Ｄｌまで、徐々に拡径する。
【００２２】
（実施例２）
図４を参照する。本考案の指用コンドーム２００は、弾性付きスリーブ１０と、弾性付きリング２０と、から構成される。本考案の弾性付きスリーブ１０は、開口端１１と、円筒部１２と、封止端１３と、を有する。本実施例の円筒部１２は、上端から円筒部１２の長さの１／３までの直径が最小直径Ｄｓであり、円筒部１２の最小直径Ｄｓの部分の下端から円筒部１２の下端にある最大直径Ｄｌまで、徐々に拡径する。このような設計によれば、人体の指の形状に合うことができ、少なくとも一本の指３００に嵌合して利用する場合には、指３００が緊迫感を感じることができる。
【００２３】
本実施例の指用コンドーム２００によれば、開口端１１に最大直径Ｄｌを有するため、指３００に円筒部１２を快速で快適に嵌合して利用することができ、指元が緊迫されすぎると感じなく、外面にある潤滑液の分布が均一となる。
【産業上の利用可能性】
【００２４】
本考案は、コンドームに適用することができる。
【符号の説明】
【００２５】
１０：弾性付きスリーブ
１１：開口端
１２：円筒部
１３：封止端
２０：弾性付きリング
１００，２００：コンドーム
３００：指
Ｄｓ：最小直径
Ｄｌ：最大直径
Ｌ：長さ
【図１】
0003171657.tif 000003
【図２】
0003171657.tif 000004
【図３】
0003171657.tif 000005
【図４】
0003171657.tif 000006